(57)【特許請求の範囲】
【請求項１】
下地上に載置されて床面を形成する床材本体と、前記床材本体の浮き上がりを防止する床材浮き防止部材と、を備えた床であって、
前記床材浮き防止部材は、前記床材本体の端部に沿って配置され当該床材本体の浮きを規制する規制部と、
前記規制部と繋がって前記床材本体の面内方向外側に向って延出された外側延出部と、を有し、
前記外側延出部は、前記下地に接合される接合部と、前記接合部より前記面内方向外側に前記下地と離間して張り出す張出部と、を有し、
前記床材浮き防止部材は、前記下地上に載置されて、前記外側延出部が延出された方向に、前記床材本体の面内方向外側端部から前記張出部まで連続して前記下地と離間する離間部を形成することを特徴とする床。
【請求項２】
請求項１に記載の床であって、
前記規制部が前記床材本体の端部上面を覆うこと、または、前記床材本体の端部に接合されること、により前記床材本体の浮き上がりを防止したことを特徴とする床。
【請求項３】
請求項２に記載の床であって、
前記床材浮き防止部材は、前記張出部と前記規制部とを有す上側部材と、
前記床材本体の端部に沿う方向の長さが前記上側部材より短く前記上側部材と別体に形成され、前記上側部材に取り付けられて前記接合部をなす下側部材と、を備え、
前記床材本体の端部に沿う方向において、前記下側部材が取り付けられていない部位が前記離間部をなすことを特徴とする床。
【発明の詳細な説明】
【技術分野】
【０００１】
本発明は、下地上に載置されて床面を形成する床材本体と、前記床材本体の浮き上がりを防止する床材浮き防止部材とを備えた床に関する。
【背景技術】
【０００２】
下地上に載置されて床面を形成する床材本体の浮き上がりを防止する床材浮き防止部材としては、例えば、ベランダや屋上などの下地上に敷設される矩形状の床化粧材の端部に嵌め込んで風が床化粧材の下面側に入り込むことを防止する、縦断面が略コ字形をなす横長の床部材が知られている（例えば、特許文献１参照）。  
この床部材には、雨水等が外部に流れ出るように下部に排水孔が設けられていることが開示されている。
【先行技術文献】
【特許文献】
【０００３】
【特許文献１】特許第３２０１９６０号明細書
【発明の概要】
【発明が解決しようとする課題】
【０００４】
上記の床部材に設けられた排水孔は、床部材が床化粧材に嵌め込まれた際に外周面をなす面に、半円形状に切り欠かれて複数設けられている。しかしながら、上記のような床化粧材は、美観の向上を目的として設けられている場合が多いが、上記床部材のように外周部に排水孔が設けられていると美観が損なわれてしまう虞があるという課題がある。  
本発明は、かかる課題に鑑みてなされたものであり、その目的とするところは、美観を損なうことなく排水機能を備えた床材浮き防止部材を提供することにある。
【課題を解決するための手段】
【０００５】
かかる目的を達成するために本発明の床は、下地上に載置されて床面を形成する床材本体と、前記床材本体の浮き上がりを防止する床材浮き防止部材と、を備えた床であって、前記床材浮き防止部材は、前記床材本体の端部に沿って配置され当該床材本体の浮きを規制する規制部と、前記規制部と繋がって前記床材本体の面内方向外側に向って延出された外側延出部と、を有し、前記外側延出部は、前記下地に接合される接合部と、前記接合部より前記面内方向外側に前記下地と離間して張り出す張出部と、を有し、前記床材浮き防止部材は、前記下地上に載置されて、前記外側延出部が延出された方向に、前記床材本体の面内方向外側端部から前記張出部まで連続して前記下地と離間する離間部を形成することを特徴とする床である。
【０００６】
このような床によれば、床材本体の浮き上がりを防止する規制部と繋がった外側延出部が、下地に接合される接合部と、接合部より面内方向外側に前記下地と離間して張り出す張出部とを有し、前記床材浮き防止部材は、前記下地上に載置されて、床材本体の面内方向外側端部から張出部までの間において下地と連続して離間する離間部を形成するので、下地に接合された床材浮き防止部材により床材の浮きが規制されるとともに、床材本体の面内方向外側端部から張出部までの間において下地と連続して離間させて、床材を下地上に保持したままで、床材側の水を面内方向外側に排出する排水機能を備えることが可能である。
【０００７】
また、接合部より面内方向外側に張り出して下地と離間した張出部が設けられているので、床材本体の面内方向外側端部から張出部までの間において下地と連続して離間する離間部が張出部により覆われて人の視界に入りにくい床材浮き防止部材を提供することが可能である。このため、美観を損なうことなく排水機能を備えた床を提供することが可能である。
【０００８】
かかる床であって、前記規制部が前記床材本体の端部上面を覆うこと、または、前記床材本体の端部に接合されること、により前記床材本体の浮き上がりを防止することが望ましい。  
このような床によれば、床材本体の端部上面を覆うか、または、床材本体の端部に接合するだけで、床材本体の浮きを抑えるとともに、床材本体側の水分を排出可能な床材浮き防止部材を容易に形成することが可能である。
【０００９】
かかる床であって、前記床材浮き防止部材は、前記張出部と前記規制部とを有す上側部材と、前記床材本体の端部に沿う方向の長さが前記上側部材より短く前記上側部材と別体に形成され、前記上側部材に取り付けられて前記接合部をなす下側部材と、を備え、前記床材本体の端部に沿う方向において、前記下側部材が取り付けられていない部位が前記離間部をなすことが望ましい。  
このような床材浮き防止部材によれば、着脱自在に設けられた下側部材が、取り付けられた部位と取り付けられていない部位とでは段差が生じる。このため、下側部材が取り付けられた部位が下地上に接合されると、下側部材が取り付けられていない部位により、床材本体の面内方向外側端部から張出部までの間を連続して下地と離間する離間部が形成される。このため、下側部材を取り付けるだけで、接合部にて下地に接合される床材浮き防止部材の規制部にて床材本体の浮きを抑えるとともに、下側部材が取り付けられていない部位にて床材本体側の水分を面内方向外側に排出可能な床材浮き防止部材を容易に形成することが可能である。
【発明の効果】
【００１０】
本発明によれば、美観を損なうことなく排水機能を備えた床材浮き防止部材を提供する
ことが可能である。
【図面の簡単な説明】
【００１１】
【図１】第１実施形態に係る床材浮き防止部材を備えた床を説明するための斜視図である。
【図２】離間部にて切断した床材浮き防止部材の縦断面図である。
【図３】第１実施形態の床材浮き防止部材の第１変形例を示す縦断面図である。
【図４】第１実施形態の床材浮き防止部材の第２変形例を示す縦断面図である。
【図５】第２実施形態に係る床が備える床材浮き防止部材を説明するための縦断面図である。
【発明を実施するための形態】
【００１２】
以下、本発明の第１実施形態に係る床材浮き防止部材について図面を参照して説明する。  
第１実施形態の床１は、例えばバルコニーやテラスなどの下地上に、図１に示すように互いに隣接させて敷き並べられた複数の床材本体５０にて形成された連結床材５５と、連結床材５５の外周部に配置される床材浮き防止部材１０とを有している。
【００１３】
床材本体５０は、矩形状をなし、互いに隣接する床材本体５０同士を連結するための連結部（不図示）が各々設けられた基台部５１と、基台部５１の上に設けられた化粧材５２とを備えている。そして複数の床材本体５０を連結部にて連結して一体をなす連結床材５５が、下地６０上に配置される。このため、連結床材５５の外周部は、最も外側に配置された床材本体５０の端部が繋がって直線状をなしている。
【００１４】
以下の説明では、連結床材５５における面内方向の中央側を内側、連結床材５５より面内方向の外方側を外側として説明する。また、床材浮き防止部材１０単体の説明であっても、床材本体５０及び床材浮き防止部材１０が下地６０上に配置された使用状態にて、上下方向及び内側、外側等の方向を示す。
【００１５】
第１実施形態の床材浮き防止部材１０は、押出成形部材でなる上側部材２０及び上側部材２０と別体に形成された下側部材３０の２つの部材にて構成され、下側部材３０は上側部材２０に着脱自在に構成されている。また、接合部としての下側部材３０は、床材本体５０の端部に沿う方向の長さが上側部材２０より短く形成されており、複数の下側部材３０が、上側部材２０の長手方向に沿って、互いに間隔を隔てて取り付けられている。
【００１６】
上側部材２０は、床材本体５０の端部上に配置される板状の床上板部２１と、床上板部２１の外側の縁から下方に垂設され、床材本体５０の周端面５０ａと対向される床対向周板部２２と、床対向周板部２２の下端から外側に向かって延出されて水平な面を形成する延出平面部２３と、床上板部２１の外側の縁と延出平面部２３の外側の縁とを繋ぎ、連結床材５５から離れる方向に向かって漸次高さが低くなる傾斜面２４ａを有する傾斜板部２４とを有している。ここで、第１実施形態では、床上板部２１が、床材本体５０の浮きを規制する規制部に相当する。
【００１７】
床上板部２１が床材本体５０の上面５０ｂに載置され、床対向周板部２２が床材本体５０の周端面５０ａと対向した状態では、延出平面部２３の下面２３ａは、床材本体５０を形成する基台部５１の下面５１ａより上方に位置している。すなわち、床材本体５０が敷設されている下地６０の上面と延出平面部２３の下面２３ａとの間には空隙が形成されるように構成されている。
【００１８】
延出平面部２３には、延出方向における中央より内側に偏らせた位置を中央として、上方に向かって窪む溝部２５が床材浮き防止部材１０の長手方向、すなわち、連結床材５５の端縁に沿う方向に設けられている。下方に向かって開放された溝部２５の下端縁部には、延出平面部２３と繋がって溝部２５の中央側に向かって延出された延出片２５ａが設けられている。
【００１９】
下側部材３０は、平板状をなし下地６０に接合される床材接合板部３１と、床材接合板部３１の連結床材５５側の縁と反連結床材側となる外側の縁とに立設された２つの鉛直壁部３２と、２つの鉛直壁部３２の間にて、床材接合板部３１の中央から振り分けて互いに間隔を隔てて立設され、鉛直壁部３２と平行をなす一対の中央壁部３３とを有している。
【００２０】
一対の中央壁部３３は、２つの鉛直壁部３２より上方に突出しており、突出している先端側が上側部材２０の溝部２５に挿入されるように構成されている。連結床材５５側の中央壁部３３の先端には、連結床材５５側に突出する突起３３ａが設けられ、反連結床材側となる外側の中央壁部３３の先端には、外側に突出する突起３３ａが設けられている。これらの突起３３ａは、一対の中央壁部３３が溝部２５に挿入されたときに、上側部材２０の延出片２５ａと係合するように構成されている。
【００２１】
中央壁部３３の突起３３ａと上側部材２０の延出片２５ａとが係合して、上側部材２０に下側部材３０が取り付けられた状態では、鉛直壁部３２の先端３２ａが延出平面部２３の下面２３ａと対向するように形成されている。このとき、連結床材５５側の鉛直壁部３２は、床対向周板部２２とほぼ同一平面を形成して連結床材５５の周端面５０ａと対向するように構成されている。また、外側の鉛直壁部３２は、延出平面部２３の外側の先端より連結床材５５側にて、延出平面部２３と対向するように形成されている。このため、上側部材２０に下側部材３０を取り付けて床材接合板部３１を下地６０上に接合すると、延出平面部２３が２つの鉛直壁部３２上に載置され、上側部材２０の延出平面部２３及び傾斜板部２４の外側の端部が、下側部材３０の外側の鉛直壁部３２より、床材本体５０の面内方向外側に張り出すように構成されている。すなわち、第１実施形態においては、上側部材２０の延出平面部２３及び傾斜板部２４の外側の端部が、下側部分となる下側部材３０より外側に張り出した張出部１０ａに相当する。また、第１実施形態においては、上側部材２０の床上板部２１を除いた部位と下側部材３０とが外側延出部に相当する。
【００２２】
このような下側部材３０が上側部材２０の溝部２５に、互いに間隔を隔てて取り付けられ、下地６０上に配置された連結床材５５の周端部の上面５０ｂに床上板部２１を載置させるとともに、連結床材５５の周端面５０ａに床対向周板部２２を当接させて下側部材３０の床材接合板部３１の下面３１ａを下地６０上に両面テープ６２等の接合部材にて接合する。このとき、上側部材２０に、床材本体５０の端部に沿う方向、すなわち、長手方向に沿って互いに間隔を隔てて下側部材３０が取り付けられた部位が、接合部が設けられている部位であり、下側部材３０が取り付けられていない部位が、接合部が設けられていない部位である。そして、下側部材３０の間となる、下側部材３０が取り付けられていない部位に形成される空隙が、床材本体５０の面内方向外側端部から張出部１０ａまでの間において下地６０と連続して離間する離間部１２をなす。このため、床材接合板部３１が下地６０に接合された際に、床材浮き防止部材１０において下側部材３０が取り付けられないことにより形成される空隙を囲む部位が離間部１２を形成している。
【００２３】
このような離間部１２は、床材本体５０が敷設される現場に合わせて様々な長さを有する上側部材２０に対し、例えば、下側部材３０の長さが３００ｍｍであったとすると、連結床材５５の端部に沿って３００ｍｍの間隔を隔てて設けられる。
【００２４】
第１実施形態の、下側部材３０が上側部材２０に取り付けられてなる床材浮き防止部材１０を備えた床１によれば、床材本体５０の浮き上がりを防止する床上板部２１と繋がった部位が、下地６０に接合される下側部材３０と、下側部材３０より面内方向外側に下地６０と離間して張り出す張出部１０ａとを有し、床材浮き防止部材１０が下地６０上に載置されると、床材本体５０の面内方向外側端部から張出部１０ａまでの間を連続して下地６０と離間する離間部１２を形成する。そして、離間部１２が形成されると張出部１０ａの下の空隙と下側部材３０より床材本体５０側とが連通される。このため、下地６０に接合された床材浮き防止部材１０により床材本体５０の浮きが規制されるとともに、床材本体５０の面内方向外側端部から張出部１０ａまでの間を連続して下地６０と離間させて、床材本体５０を下地６０上に保持したままで、床材本体５０側の水を面内方向外側に排出する排水機能を備えることが可能である。
【００２５】
また、下側部材３０より面内方向外側に張り出して下地６０と離間した張出部１０ａが設けられているので、床材本体５０の面内方向外側端部から張出部１０ａまでの間を連続して下地６０と離間する離間部１２が張出部１０ａにより覆われて人の視界に入りにくい床材浮き防止部材１０を提供することが可能である。このため、美観を損なうことなく排水機能を備えた床１を提供することが可能である。
【００２６】
また、床材浮き防止部材１０が床材本体５０の端部上面を覆う床上板部２１を備えているので、床材浮き防止部材１０を下地６０上に載置して接合するだけで、床材本体５０の浮きを抑えるとともに、床材本体５０側の水分を排出可能な床材浮き防止部材５０を容易に形成することが可能であり、排水機能を備えた床１を容易に提供することが可能である。
【００２７】
また、着脱自在に設けられた下側部材３０が、取り付けられた部位と取り付けられていない部位とでは段差が生じる。このため、下側部材３０が取り付けられた部位が下地６０上に接合されると、下側部材３０が取り付けられていない部位は、下地６０面との間に空隙が形成されて、床材本体５０の面内方向外側端部から張出部１０ａまでの間を連続して下地６０と離間する離間部１２が形成される。このため、下側部材３０を取り付けるだけで、下側部材３０にて下地６０に接合される床材浮き防止部材１０の床上板部２１にて床材本体５０の浮きを抑えるとともに、下側部材３０が取り付けられていない部位にて床材本体５０側の水分を面内方向外側に排出可能な床材浮き防止部材１０を備えた床１を容易に提供することが可能である。
【００２８】
また、床材本体５０の端部に沿って配置される床材浮き防止部材１０の床材本体５０より外側に延出される傾斜板部２４の上面が、床材本体５０から離れる方向に向かって下地６０からの高さが低くなるように傾斜しているので、床材本体５０の端部に大きな段差は生じない。このため、床材本体５０の利用者が床材本体５０の端部に躓いたり、大きな段差を踏むことがないので、より安全性に優れた床材浮き防止部材１０及び床１を提供することが可能である。
【００２９】
上記実施形態では、上側部材２０に複数の下側部材３０を取り付けた例について説明したが、上側部材２０に取り付けられた１つの下側部材３０の両側又は片側に離間部１２が形成されていても構わない。
【００３０】
上記実施形態においては、床材本体５０の端部上に配置される床上板部２１を備えた床材浮き防止部材１０について説明したが、これに限るものではない。例えば、図３に示すように、床材本体５０の周端面５０ａに内方に向かって窪む凹部５０ｃが設けられており、この凹部５０ｃに嵌合される嵌合部１０ｂを有する床材浮き防止部材１０であっても良い。この場合には、嵌合部１０ｂが規制部に相当し、床材浮き防止部材１０の嵌合部１０ｂを除く部位が外側延出部に相当する。
【００３１】
また、図４に示すように、床材浮き防止部材１０は床上板部２１を備えておらず、床対向周板部２２と床材本体５０の周端面５０ａとが両面テープ６２のような接合部材にて接合されていても良い。この場合には、床対向周板部２２が規制部に相当し、床材浮き防止部材１０の床対向周板部２２を除く部位が外側延出部に相当する。
【００３２】
第１実施形態では、床材浮き防止部材１０が上側部材２０と下側部材３０との２つの部材にて構成され、下側部材３０が、上側部材２０の長手方向に沿って、互いに間隔を隔てて取り付けられることにより離間部１２が形成されたが、第２実施形態の床材浮き防止部材７０は、長手方向に繋がった中空部を有する一体の押出成形部材にて構成されている。以下の説明において、第１実施形態と同様の部位及び部材については同符号を付して説明を省略する。
【００３３】
第２実施形態の床材浮き防止部材７０は、床材本体５０の端部上に配置される板状の床上板部７１と、床上板部７１の外方側の縁から下方に垂設され、床材本体５０の周端面５０ａと対向される床対向周板部７２と、床対向周板部７２の下端から外側に向かって延出されて平板状をなし下地６０に接合される接合部７３と、接合部７３の反連結床材側となる外側の縁に立設された鉛直壁部７４と、床上板部７１の外側の縁から鉛直壁部７４より外側まで延出され、連結床材５５から離れる方向に向かって高さが低くなる傾斜面７５ａを有する傾斜板部７５と、鉛直壁部７４の上端と傾斜板部７５の下端を水平に繋ぐ水平連結部７６と、を有している。第２実施形態では、床上板部７１が床材本体５０の浮きを規制する規制部に相当し、床材浮き防止部材７０の床上板部７１を除く部位が外側延出部に相当する。また、鉛直壁部７４より外側に張り出した傾斜板部７５の下端側の部位が張出部７０ａに相当する。
【００３４】
床材浮き防止部材７０には、長手方向、すなわち、連結床材５５の端縁に沿う方向に適宜間隔を隔てて、例えば３００ｍｍ間隔にて下側部分が切り欠かれて切欠部７７が設けられている。切欠部７７は、水平連結部７６より下側に位置する接合部７３及び鉛直壁部７４と床対向周板部７２の下端側が切除されて形成されている。このとき、長手方向に沿って互いに間隔を隔てて切り欠かれた切欠部７７が、接合部が設けられていない部位であり、切り欠かれずに残った部位が、接合部が設けられている部位である。
【００３５】
第２実施形態の床材浮き防止部材７０は、下地６０上に配置された連結床材５５の周端部の上面５０ｂに床上板部７１を載置させるとともに、連結床材５５の周端面５０ａに床対向周板部７２を当接させて接合部７３の下面７３ａを下地６０上に両面テープ６２等の接合部材にて接合する。このとき、床材浮き防止部材７０に設けられた切欠部７７により形成される空隙が、床材本体５０の面内方向外側端部から張出部１０ａまでの間を連続して下地６０と離間する離間部１２を形成する。
【００３６】
このような床材浮き防止部材７０によれば、押出成形により一体に製造された床材浮き防止部材７０の元となる部材は、外側延出部の下側部分の一部が切り欠かれて切欠部７７が形成され、切り欠かれずに残った部位が接合部７３をなすので、切り欠かれた部位と切り欠かれていない部位とでは段差が生じる。そして、切り欠かれていない部位が下地６０上に接合されると、切欠部７７により、床材本体５０の面内方向外側端部から張出部１０ａまでの間を連続して下地６０と離間する離間部１２が形成される。このため、押出成形した部材を切り欠いて接合部７３を下地６０に接合するだけで、床材本体５０の浮きを抑えるとともに、床材本体５０側の水分を排出可能な床材浮き防止部材７０を備えた床１を容易に形成することが可能である。
【００３７】
また、離間部１２が設けられている水平連結部７６より下側の部分にて最も外側に位置する鉛直壁部７４より、傾斜板部７５の下端側に張出部７０ａが張り出しているので、離間部１２が人の視界に入りにくい床材浮き防止部材７０を提供することが可能である。このため、美観を損なうことなく排水機能を備えた床材浮き防止部材７０を有する床１を提供することが可能である。
【００３８】
上記実施形態においては、切欠部７７を、水平連結部７６より下側に位置する接合部７３及び鉛直壁部７４と床対向周板部７２の下端側を切除して形成する例について説明したが、床材本体５０の面内方向外側端部から張出部１０ａまでの間を連続して下地６０と離間する離間部１２が形成可能であれば、水平連結部７６より下方にて鉛直壁部７４と床対向周板部７２の下端側とを接合部７３とともに切除して切欠部７７を形成しても良い。
【００３９】
また、床上板部２１の外側の縁と延出平面部２３の外側の縁とを繋ぐ傾斜板部２４を傾斜面として外側延出部の断面形状を略直角三角形状としたが、床上板部２１から水平に伸びて張出部へ垂下して外側延出部の断面形状を矩形状としても良い。
【００４０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４１】
１  床、１０  床材浮き防止部材、１０ａ  張出部、１０ｂ  嵌合部、１２  離間部、
２０  上側部材、２１  床上板部、２２  床対向周板部、２３  延出平面部、
２４  傾斜板部、２４ａ  傾斜面、３０  下側部材、３１  床材接合板部、
３２  鉛直壁部、３３  中央壁部、５０  床材本体、５０ｃ  凹部、５５  連結床材、
６０  下地、７０  床材浮き防止部材、７０ａ  張出部、７１  床上板部、
７２  床対向周板部、７３  接合部、７４  鉛直壁部、７５  傾斜板部、
７５ａ  傾斜面、７６  水平連結部、７７  切欠部
【図１】
0005575569.tif 000002
【図２】
0005575569.tif 000003
【図３】
0005575569.tif 000004
【図４】
0005575569.tif 000005
【図５】
0005575569.tif 000006